(57)【要約】【課題】用紙搬送路の上方又は下方のループ形成空間を簡単な設定により選択可能な用紙排出装置を提供する。【解決手段】用紙排出装置１０は、用紙搬送路１２の上方を閉止して当該用紙搬送路１２の上面を構成する閉止状態と、用紙搬送路１２の上方を開放して用紙Ｐの上向きのループ化を許容する開放状態とを切り換え可能に構成された上側ガイド１５と、用紙搬送路１２の下方を閉止して当該用紙搬送路１２の下面を構成する閉止状態と、用紙搬送路１２の下方を開放して用紙Ｐの下向きのループ化を許容する開放状態とを切り換え可能に構成された下側ガイド１６と、上側ガイド１６の閉止状態をロックするロック手段とを備える。【選択図】図２
2018083710.tif 000002
【特許請求の範囲】
【請求項１】
長尺な用紙に印字して発行する発券装置に使用され、用紙が切断されるまで当該用紙をループ化して保管するとともに、切断された用紙を排出する用紙排出装置であって、
用紙搬送路の上方を閉止して当該用紙搬送路の上面を構成する閉止状態と、前記用紙搬送路の上方を開放して前記用紙の上向きのループ化を許容する開放状態とを切り換え可能に構成された上側ガイドと、
前記用紙搬送路の下方を閉止して当該用紙搬送路の下面を構成する閉止状態と、前記用紙搬送路の下方を開放して前記用紙の下向きのループ化を許容する開放状態とを切り換え可能に構成された下側ガイドと、
前記上側ガイドの前記閉止状態をロックするロック手段とを備えることを特徴とする用紙排出装置。
【請求項２】
前記下側ガイドは、前記上側ガイドの前記閉止状態がロックされているとき前記用紙搬送路の下方を開放して前記用紙の下向きのループ化を許容し、前記上側ガイドの前記閉止状態のロックが解除されているとき前記用紙搬送路の下方を閉止して前記用紙の下向きのループ化を阻止する、請求項１に記載の用紙排出装置。
【請求項３】
前記下側ガイドの前記開放状態又は前記閉止状態を手動で切り替える切り替えレバーをさらに備える、請求項１又は２に記載の用紙排出装置。
【請求項４】
前記ロック手段によってロックされていない前記上側ガイドは、上向きでループ化しようとする前記用紙の押圧力によって持ち上げられて前記開放状態となる方向に回動し、前記用紙の上向きのループ化が解除されたときに前記押圧力から解放されて前記閉止状態に戻る、請求項１乃至３のいずれか一項に記載の用紙排出装置。
【請求項５】
前記上側ガイド及び前記下側ガイドよりも前記用紙搬送路の下流側に配置された一対の排出ローラをさらに備え、
前記排出ローラの回転及び停止を制御することによって前記用紙のループ化及びその解除を制御する、請求項１乃至４のいずれか一項に記載の用紙排出装置。
【請求項６】
前記用紙搬送路の下方に設けられ、前記下側ガイドが開放状態のときに前記用紙搬送路と連通して前記用紙の下向きのループを保管する下ループ形成空間をさらに備える、請求項１乃至５のいずれか一項に記載の用紙排出装置。
【請求項７】
前記用紙搬送路の上方に設けられ、前記上側ガイドが開放状態のときに前記用紙搬送路と連通して前記用紙の上向きのループを保管する上ループ形成空間をさらに備える、請求項１乃至６のいずれか一項に記載の用紙排出装置。
【発明の詳細な説明】
【技術分野】
【０００１】
本発明は、ロール紙等の長尺な用紙を切断してレシート・チケット等を発行する発券装置に使用され、用紙が切断されるまでループ化して装置内に保管するとともに、切断された用紙を装置外に排出する用紙排出装置（プレゼンタ）に関するものである。
【背景技術】
【０００２】
レシート・チケット等を発行する発券装置においては、発券中に発券口から排出された紙片を受取人が無理に引き抜いたり、発券口を塞いで用紙の排出を妨害したりすると、印字不良や用紙ジャムの原因となる。これらを未然に防止するため、用紙の印字及び切断が完了するまで用紙を装置内に一時的に保管しておき、切断完了後の用紙の先端を発券口から露出させる機能を備えた用紙排出装置が多く採用されている。特に、無人で稼働するKIOSK端末等の発券装置には有効である。
【０００３】
例えば、特許文献１には、用紙搬送路の下方にループ形成空間を設け、排出口からの用紙の排出を阻止している間、印字した用紙の下向きのループをループ形成空間内に一時的に保管し、用紙の印字及び切断完了後に排出口から用紙の頭出しを行い、さらに用紙が受け取られず排出口に残留している場合には用紙を回収することが記載されている。
【０００４】
また、特許文献２には、用紙搬送路の上方にループ形成空間を設け、排出口からの用紙の排出を阻止している間、印字した用紙の上向きのループをループ形成空間内に一時的に保管する用紙排出装置が記載されている。この用紙排出装置において、用紙搬送路の上面を構成する第２ガイドは、通常搬送時にはループ形成空間を閉止しており、用紙搬送ガイドとして作用するが、用紙をループ化するときには回動してループ形成空間を開放するように構成されている。
【先行技術文献】
【特許文献】
【０００５】
【特許文献１】特開平１０−２７３２６０号公報
【特許文献２】特開２００３−２１２４１７号公報
【発明の概要】
【発明が解決しようとする課題】
【０００６】
従来、用紙をループさせるためのループ形成空間は、装置の上方又は下方に設定され、どちらか一方に限定されていた。しかしながら、ループ形成空間を設けるためには一定のスペースが必要であり、ループ形成空間が装置の上方又は下方のどちらかに指定されていると、発券装置内での用紙排出装置の位置が制約されるため、実装設計上の大きな障害となっている。
【０００７】
したがって、本発明の目的は、用紙のループを収容するループ形成空間を装置の上方又は下方のどちらか一方の選択を可能にし、しかも簡単な操作により設定することが可能な用紙排出装置を提供することにある。
【課題を解決するための手段】
【０００８】
上記課題を解決するため、本発明による用紙排出装置は、長尺な用紙に印字して発行する発券装置に使用され、用紙が切断されるまで当該用紙をループ化して保管するとともに、切断された用紙を排出する用紙排出装置であって、用紙搬送路の上方を閉止して当該用紙搬送路の上面を構成する閉止状態と、前記用紙搬送路の上方を開放して前記用紙の上向きのループ化を許容する開放状態とを切り換え可能に構成された上側ガイドと、前記用紙搬送路の下方を閉止して当該用紙搬送路の下面を構成する閉止状態と、前記用紙搬送路の下方を開放して前記用紙の下向きのループ化を許容する開放状態とを切り換え可能に構成された下側ガイドと、前記上側ガイドの前記閉止状態をロックするロック手段とを備えることを特徴とする。
【０００９】
本発明によれば、ループ形成空間を用紙搬送路の上方又は下方のどちらに設けるのかを当該装置の組み込み時に選択することができる。したがって、発券装置に対する用紙排出装置の実装設計の自由度を高めることができる。
【００１０】
本発明において、前記下側ガイドは、前記上側ガイドの前記閉止状態がロックされているとき前記用紙搬送路の下方を開放して前記用紙の下向きのループ化を許容し、前記上側ガイドの前記閉止状態のロックが解除されているとき前記用紙搬送路の下方を閉止して前記用紙の下向きのループ化を阻止することが好ましい。
【００１１】
本発明による用紙排出装置は、前記下側ガイドの前記開放状態又は前記閉止状態を手動で切り替える切り替えレバーをさらに備えることが好ましい。この構成によれば、下側ガイドの開放状態及び閉止状態の一方から他方への切り換えを簡単に行うことができる。
【００１２】
本発明において、前記ロック手段によってロックされていない前記上側ガイドは、上向きでループ化しようとする前記用紙の押圧力によって持ち上げられて前記開放状態となる方向に回動し、前記用紙の上向きのループ化が解除されたときに前記押圧力から解放されて前記閉止状態に戻ることが好ましい。この構成によれば、用紙の上向きのループを形成して一時保管するモードにおいて、用紙が上向きのループを形成している期間以外でも用紙搬送路の上方が常に開いている事態を回避することができる。したがって、用紙搬送路内にゴミなどが入り込みにくく、装置の信頼性及び安全性を高めることができる。
【００１３】
本発明による用紙排出装置は、前記上側ガイド及び前記下側ガイドよりも前記用紙搬送路の下流側に配置された一対の排出ローラをさらに備え、前記排出ローラの回転及び停止を制御することによって前記用紙のループ化及びその解除を制御することが好ましい。この構成によれば、排出ローラによる用紙の送り出し動作を一時停止することで用紙の上向き又は下向きのループ化を図ることができ、用紙の送り出しを再開することで用紙のループ化を解除することができる。
【００１４】
本発明による用紙排出装置は、前記用紙搬送路の下方に設けられ、前記下側ガイドが開放状態のときに前記用紙搬送路と連通して前記用紙の下向きのループを保管する下ループ形成空間をさらに備えることが好ましい。この構成によれば、印字された用紙の切断が完了するまで当該用紙を下向きでループさせてその排出を保留することができる。特に、用紙排出装置が組み込まれる発券装置内のレイアウトの関係上、用紙搬送路の上方にループ形成空間を確保することが難しい場合でも、用紙搬送路の下方にループ形成空間を確保して用紙排出装置を正しく動作させることができる。
【００１５】
また、本発明による用紙排出装置は、前記用紙搬送路の上方に設けられ、前記上側ガイドが開放状態のときに前記用紙搬送路と連通して前記用紙の上向きのループを保管する上ループ形成空間をさらに備えることが好ましい。この構成によれば、印字された用紙の切断が完了するまで当該用紙を上向きでループさせてその排出を保留することができる。特に、用紙排出装置が組み込まれる発券装置内のレイアウトの関係上、用紙搬送路の下方にループ形成空間を確保することが難しい場合でも、用紙搬送路の上方にループ形成空間を確保して用紙排出装置を正しく動作させることができる。
【発明の効果】
【００１６】
本発明によれば、用紙搬送路の上方又は下方のループ形成空間を簡単な設定により選択可能な用紙排出装置を提供することができる。
【図面の簡単な説明】
【００１７】
【図１】図１は、本発明の実施の形態による用紙排出装置を含む発券装置の構成を概略的に示す側面断面図である。
【図２】図２は、用紙排出装置１０の動作モードを説明するための側面断面図であって、（ａ）は上ループモード、（ｂ）は下ループモードをそれぞれ示している。
【図３】図３は、上側ガイド１５のロック機構の構成の一例を示す図であって、（ａ）及び（ｂ）はロック状態における平面図及び断面図、（ｃ）及び（ｄ）はロック解除状態における平面図及び断面図である。
【図４】図４は、用紙排出装置１０の動作を説明するための側面断面図であって、（ａ）は上ループモードでの用紙送り出し動作、（ｂ）は下ループモードでの用紙送り出し動作をそれぞれ示している。
【図５】図５は、用紙排出装置１０の動作を説明するための側面断面図であって、（ａ）は上ループモードでのループ形成動作、（ｂ）は下ループモードでのループ形成動作をそれぞれ示している。
【図６】図６は、用紙排出装置１０の動作を説明するための側面断面図であって、（ａ）は上ループモードでのループ解除動作、（ｂ）は下ループモードでのループ解除動作をそれぞれ示している。
【発明を実施するための形態】
【００１８】
以下、添付図面を参照しながら、本発明の好ましい実施の形態について詳細に説明する。
【００１９】
図１は、本発明の実施の形態による用紙排出装置を含む発券装置の構成を概略的に示す側面断面図である。
【００２０】
図１に示すように、発券装置１００は、ロール紙等の連続用紙に印字するプリンタ部１と、プリンタ部１で印字された用紙Ｐを発券口１０ａまで案内する用紙排出装置１０とを備えている。用紙排出装置１０はプリンタ部１から独立しており、プリンタ部１の前方に着脱自在に取り付けられている。発券装置１００の使用形態によっては用紙をループさせて一時保管する機能を必要としない場合もあることから、用紙排出装置１０は発券装置１００に対して選択的に設置可能となっている。
【００２１】
用紙排出装置１０は、筐体１１と、筐体１１内に設けられ、印字済み用紙Ｐを発券口まで案内する用紙搬送路１２と、用紙搬送路１２の下流側（発券口１０ａ寄り）に設けられ、プリンタ部１で印字されて搬送されてきた用紙Ｐを把持し、発券口１０ａまでさらに搬送する一対の排出ローラ１３と、用紙搬送路１２上の用紙の有無を検知する用紙有無センサ１７ａ，１７ｂとを備えている。
【００２２】
用紙搬送路１２は、その上方及び下方にそれぞれ設置された上側ガイド１５及び下側ガイド１６によってその進行方向が規定されている。上側ガイド１５及び下側ガイド１６は、プリンタ部１から搬送されてきた用紙Ｐを一対の排出ローラ１３の位置まで案内する上下一対の用紙ガイド部材であるが、ループ形成空間を用紙搬送路１２の上方又は下方に切り換えることができるように構成されている。すなわち、上側ガイド１５は用紙搬送路１２の上面を構成する可動部材であり、用紙搬送路１２の上方を開放又は閉止することができるように構成されている。また下側ガイド１６は用紙搬送路１２の下面を構成する可動部材であり、用紙搬送路１２の下方を開放又は閉止することができるように構成されている。図１は、上側ガイド１５及び下側ガイド１６が共に閉止状態である場合を示している。
【００２３】
一対の排出ローラ１３は、上側ガイド１５及び下側ガイド１６よりも用紙搬送路１２の下流側に設けられている。一対の排出ローラ１３は、上下に対向する駆動ローラ１３ａと従動ローラ１３ｂとの組み合わせからなり、特に駆動ローラ１３ａが下側、従動ローラ１３ｂが上側に配置されている。駆動ローラ１３は、プリンタ部１の動作を制御する制御部によって正逆回転及び停止が制御される。プリンタ部１内の印字ヘッド２で印字された用紙Ｐはプラテンローラ３の回転によって前方に送り出され、用紙排出装置１０内に進入し、用紙搬送路１２を通って排出ローラ１３の位置まで搬送される。
【００２４】
図２は、用紙排出装置１０の動作モードを説明するための側面断面図であって、（ａ）は上ループモード（ｂ）は下ループモードをそれぞれ示している。
【００２５】
図２（ａ）に示すように、上側ガイド１５は、回転軸１５ａを中心に回動自在な構成であり、用紙搬送路１２の上方を閉止して当該用紙搬送路１２の上面を構成する閉止状態と、用紙搬送路１２の上方を開放して用紙Ｐの上向きのループ化を許容する開放状態とを切り換え可能に構成されている。ただし、後述するロック機構によりロックされると回動できなくなり、ロックが解除されているときだけ回動することができる。上側ガイド１５の回転軸１５ａは用紙搬送路１２の幅方向と平行に設けられており、用紙搬送路１２の下流側（発券口１０ａ寄り）に配置されている。上側ガイド１５の先端１５ｂは用紙搬送路１２の上流側の下方から下流側の上方に向かって開くように構成されている。
【００２６】
図２（ａ）及び（ｂ）に示すように、下側ガイド１６は、回転軸１６ａを中心に回動可能な構成であり、用紙搬送路１２の下方を閉止して当該用紙搬送路１２の下面を構成する閉止状態と、用紙搬送路１２の下方を開放して用紙Ｐの下向きのループ化を許容する開放状態とを切り換え可能に構成されている。すなわち、下側ガイド１６は図２（ａ）に示す略水平姿勢と図２（ｂ）に示す略垂直姿勢のどちらかを取ることができ、略水平姿勢のときには用紙搬送路１２の下方が閉止されるので、用紙Ｐを下向きでループさせることができなくなる。略垂直姿勢のときには用紙搬送路１２の下方が開放されるので、用紙Ｐを下向きでループさせることが可能となる。
【００２７】
下側ガイド１６は切り替えレバー１９と一体的に形成されており、切り替えレバー１９を操作することで開放状態又は閉止状態を手動で切り替えることができる。切り替えレバー１９を持ち上げる方向に回動させると下側ガイド１６が略水平姿勢となり、用紙搬送路１２の下方が閉止される。また、切り替えレバー１９を押し下げる方向に回動させると下側ガイド１６が略垂直姿勢となり、用紙搬送路１２の下方が開放される。このように、切り替えレバー１９を操作することで下側ガイド１６の姿勢を簡単に切り替えることができる。
【００２８】
図２（ａ）に示すように、上側ガイド１５が開いて用紙搬送路１２の上方を開放し、且つ下側ガイド１６が用紙搬送路１２の下方を閉止している場合には、用紙Ｐを上向きでループさせることができ、用紙搬送路１２の上方の空間は、上向きでループ化した用紙Ｐを収容する上ループ形成空間Ｓａとなる。
【００２９】
また、図２（ｂ）に示すように、上側ガイド１５が閉じて用紙搬送路１２の上方を閉止し、且つ下側ガイド１６が用紙搬送路１２の下方を開放している場合には、用紙Ｐを下向きでループさせることができ、用紙搬送路１２の下方の空間は、下向きでループ化した用紙Ｐを収容する下ループ形成空間Ｓｂとなる。本実施形態において、下側ガイド１６よりも下方の筐体１１の内部は空洞であり、筐体１１内に下ループ形成空間Ｓｂが設けられている。
【００３０】
上ループ形成空間Ｓａが開放空間（自由空間）であるのに対し、下ループ形成空間Ｓｂは、用紙排出装置１０の筐体１１に囲まれた閉空間である。下ループ形成空間Ｓｂをより自由な空間とするためには、用紙排出装置１０の筐体１１の底面を設けないことが好ましい。このようにした場合、用紙Ｐの下向きのループの長さが筐体１１の底面によって制限されないので、用紙の下向きのループを筐体１１の下端よりも下方に突き抜けさせて十分な大きさのループを形成することが可能となる。
【００３１】
図３は、上側ガイド１５のロック機構の構成の一例を示す図であって、（ａ）及び（ｂ）はロック状態における平面図及び断面図、（ｃ）及び（ｄ）はロック解除状態における平面図及び断面図である。
【００３２】
図３（ａ）〜（ｄ）に示すように、本実施形態による用紙排出装置１０は、上側ガイド１５の開閉動作をロックするロック機構１８を有している。上側ガイド１５のロック機構１８は、回転軸１８ａを中心に水平方向に回動可能な係止片１８ｂと、係止片１８ｂの上面に設けられたつまみ部１８ｃとを有し、つまみ部１８ｃを操作して係止片１８ｂの先端部を上側ガイド１５と係合させることで回転軸１５ａを中心とする上側ガイド１５の回動動作をロックすることができる。
【００３３】
図３（ａ）及び（ｂ）に示すように、係止片１８ｂの先端部が上側ガイド１５の一部と平面視で重なっているときには上側ガイド１５の開放動作、すなわち上側ガイド１５の上下方向への回動が規制され、閉止状態が維持される。一方、図３（ｃ）及び（ｄ）に示すように、係止片１８ｂをロック位置から９０度回転させると、係止片１８ｂの先端部が上側ガイド１５の一部と平面視で重ならなくなるので、上側ガイド１５の上下方向への回動の規制が解除され、上側ガイド１５は回動自在な状態となる。
【００３４】
図４〜図６は、用紙排出装置１０の動作を説明するための側面断面図であって、特に図４〜図６の（ａ）は上ループモードでの動作、図４〜図６の（ｂ）は下ループモードでの動作をそれぞれ示している。
【００３５】
まず用紙Ｐの上向きのループを選択する場合、図２（ａ）、図３（ｃ）及び（ｄ）、及び図４（ａ）に示すように上側ガイド１５をロック解除状態（回動可能）とし、下側ガイド１６を略水平姿勢に設定する。このような設定により、上側ガイド１５を開放状態にすることができ、用紙搬送路１２を上ループ形成空間Ｓａと連通させて用紙Ｐの上向きのループを形成することが可能となる。また用紙Ｐの下向きのループを選択する場合、図２（ｂ）、図３（ａ）及び（ｂ）、及び図４（ｂ）に示すように上側ガイド１５をロック状態（回動不可）とし、下側ガイド１６を略垂直姿勢に設定する。このような設定により、下側ガイド１６が開放状態となり、用紙搬送路１２が下ループ形成空間Ｓｂと連通するので、用紙Ｐの下向きのループを形成することが可能となる。
【００３６】
一般的に、用紙Ｐのループ形成空間は、用紙搬送路１２の上方又は下方のどちらか一方に限定されており、他方を選択することはできない。しかし、本実施形態においては上側ガイド１５のロック機構１８及び下側ガイド１６の切り替えレバー１９を操作することで用紙搬送路１２の上方又は下方のどちらでも選択することができる。なお、このような用紙Ｐのループの向きの選択（ループ形成空間の選択）は、用紙排出装置１０を発券装置１００に組み込む際に最初に一度だけ行われるものであり、発券装置１００の運用中に定期的又は不定期に行われることはない。
【００３７】
プリンタ部１で印字されて用紙排出装置１０内に送り込まれた用紙Ｐの先端部は、図４（ａ）及び（ｂ）に示すように用紙搬送路１２を通って排出ローラ１３の直前の位置に到達する。用紙有無センサ１７ａが用紙Ｐの先端部を検知すると、排出ローラ１３が回転動作を開始し、用紙Ｐの先端部は一対の排出ローラ１３間に引き込まれて挟圧保持される。次に下流側の用紙有無センサ１７ｂが用紙Ｐの先端部を検知すると、用紙Ｐの先端が発券口１０ａから出ないように排出ローラ１３は回転を一時停止する。プリンタ部１による印字動作がさらに継続されると、用紙排出装置１０内に送り込まれる用紙Ｐの長さがさらに長くなるが、用紙Ｐの先端部の送り出しは排出ローラ１３によって止められているので、行き場を失った用紙Ｐはプリンタ部１と排出ローラ１３との間で撓んでループ化し、用紙排出装置１０内で一時的に保管される。このとき、上ループモードの場合には図５（ａ）に示すように上向きでループ化し、下ループモードの場合には図５（ｂ）に示すように下向きでループ化する。
【００３８】
用紙Ｐの上向きのループを形成する上ループモードの場合、下側ガイド１６が略水平姿勢で固定されているで、用紙Ｐは下向きのループを形成することができず、用紙Ｐのループは略水平状態の上側ガイド１５の先端を上方に押し上げながらループ化し、これにより揺動自在に変位できる上側ガイド１５は図５（ａ）に示す略直立姿勢となる。用紙Ｐのループがなくなると、上側ガイド１５は自重によって回動して図４（ａ）に示す略水平状態に戻る。
【００３９】
用紙Ｐの下向きのループを形成する下ループモードの場合、上側ガイド１５が略水平状態の閉止姿勢で固定されているので、図５（ａ）に示すように用紙Ｐのループは上側ガイド１５を押し上げながら上向きのループを形成することができない。しかし、下側ガイド１６が略垂直姿勢で固定されており、下ループ形成空間Ｓｂが開放されているので、図５（ｂ）に示すように用紙Ｐは下向きでループ化することができる。
【００４０】
プリンタ部１による印字及び用紙Ｐの送り出し動作が終了すると、図６（ａ）及び（ｂ）に示すように印字後の位置に設けられたカッター４によって用紙Ｐが切断される。その後、排出ローラ１３が回転を再開し、用紙Ｐの先端部が発券口１０ａから頭出しされる。したがって、受取人は用紙Ｐを引き出して受け取ることができる。印字動作中や切断処理前に用紙Ｐを発券口１０ａから頭出しすると、受取人が無理に引き抜いたり、発券口１０ａを塞いで用紙排出を妨害したりしたときに、印字不良や用紙ジャムの原因となる。しかし、印字動作が終了して用紙Ｐを切断した後にその頭出しを行った場合にはそのような問題を解決することができる。
【００４１】
以上説明したように、本実施形態による用紙排出装置１０は、用紙搬送路１２の上方に設けられた上ループ形成空間Ｓａを開放又は閉止する上側ガイド１５及び用紙搬送路１２の下方に設けられた下ループ形成空間Ｓｂを開放又は閉止する下側ガイド１６の開閉状態を変更できるように構成されているので、用紙Ｐのループの向きを簡単な操作により選択することができ、用紙排出装置１０の実装設計の自由度を向上させることができる。
【００４２】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００４３】
例えば、上記実施形態においては、上側ガイド１５のロック手段として、係止片１８ｂを９０度回転させるとその先端部が上側ガイド１５と係合して上側ガイド１５の回動動作をロックするロック機構１８を例に挙げたが、本発明はこのような構成に限定されず、様々なロック手段を採用することができる。上記のように、上側ガイド１５のロック操作は頻繁に行われるものではないので、できるだけ単純な構成で簡単かつ確実にロック及びロック解除できることが好ましい。したがって、例えば上側ガイド１５をねじ止めにより固定することも可能である。
【００４４】
また、上記実施形態においては、下側ガイド１６の開閉状態を切り替えレバー１９で切り替えているが、用紙排出装置１０に対して下側ガイド１６を着脱可能な構成としてもよい。この場合、下側ガイド１６を用紙排出装置１０に装着しているときには下側ガイド１６が用紙搬送路１２の下面を構成しており、また下側ガイド１６を用紙排出装置１０から取り外しているときには用紙搬送路１２の下方が開放されて下ループ形成空間Ｓｂと連通する構成となる。
【００４５】
さらに上記実施形態においては、上側ガイド１５は、用紙Ｐのループからの押圧力によって開き、また押圧力から開放されると自重で閉じるように構成されているが、本発明はこのような構成に限定されず、開放状態又は閉止状態を手動で選択的に設定できるものであってもよい。
【符号の説明】
【００４６】
１    プリンタ部
２    印字ヘッド
３    プラテンローラ
４    カッター
１０    用紙排出装置
１０ａ    発券口
１１    筐体
１２    用紙搬送路
１３    排出ローラ
１３ａ    駆動ローラ
１３ｂ    従動ローラ
１５    上側ガイド
１５ａ    上側ガイドの回転軸
１５ｂ    上側ガイドの先端
１６    下側ガイド
１６ａ    下側ガイドの回転軸
１７ａ，１７ｂ    用紙有無センサ
１８    ロック機構
１８ａ    ロック機構の回転軸
１８ｂ    ロック機構の係止片
１８ｃ    ロック機構のつまみ部
１９    切り替えレバー
１００    発券装置
Ｐ    用紙
Ｓａ    上ループ形成空間
Ｓｂ    下ループ形成空間
【図１】
2018083710.tif 000003
【図２】
2018083710.tif 000004
【図３】
2018083710.tif 000005
【図４】
2018083710.tif 000006
【図５】
2018083710.tif 000007
【図６】
2018083710.tif 000008